(57)【特許請求の範囲】
【請求項１】
ガード帯域幅に保持された情報を処理する方法であって、
帯域幅範囲に保持された情報の収集を準備することと、
前記帯域幅範囲に保持された情報を収集すること、
収集された情報が、前記帯域幅範囲のガード帯域幅に存在するかを判定することと、
否定的な判定がなされるとフィルタリングを制限し、肯定的な判定がなされるとフィルタリングを拡大することとを備える方法。
【請求項２】
前記収集された情報を抽出することをさらに備える請求項１に記載の方法。
【請求項３】
ガード・サブキャリアのうちの少なくとも２つのセットを比較することと、
前記比較によって判定された最小のガード・サブキャリアのセットを用いることとをさらに備え、
前記帯域幅範囲に保持された情報を収集することは、ガード・サブキャリアのうちの少なくとも２つのセットを収集することを含む請求項１に記載の方法。
【請求項４】
装置であって、
帯域幅範囲に保持された情報の収集を準備するレギュレータと、
前記帯域幅範囲に保持された情報を収集するオブテイナと、
収集された情報が、前記帯域幅範囲のガード帯域幅に存在するかを判定するロケータと、
否定的な判定がなされるとフィルタリングを制限し、肯定的な判定がなされるとフィルタリングを拡大するレギュレータとを備える装置。
【請求項５】
前記収集された情報を抽出するリムーバをさらに備える請求項４に記載の装置。
【請求項６】
前記リムーバは、ガード・サブキャリアのうちの少なくとも２つのセットを比較し、前記比較によって判定された最小のガード・サブキャリアのセットを用い、
前記オブテイナは、ガード・サブキャリアのうちの少なくとも２つのセットを収集する請求項４に記載の装置。
【請求項７】
帯域幅範囲に保持された情報の収集を準備する手段と、
前記帯域幅範囲に保持された情報を収集する手段と、
収集された情報が、前記帯域幅範囲のガード帯域幅に存在するかを判定する手段と、
否定的な判定がなされるとフィルタリングを制限し、肯定的な判定がなされるとフィルタリングを拡大する手段とを備える装置。
【請求項８】
前記収集された情報を抽出する手段をさらに備える請求項７に記載の装置。
【請求項９】
ガード・サブキャリアのうちの少なくとも２つのセットを比較する手段と、
前記比較によって判定された最小のガード・サブキャリアのセットを用いる手段とを備え、
前記帯域幅範囲に保持された情報を収集する手段は、ガード・サブキャリアのうちの少なくとも２つのセットを収集する手段を含む請求項７に記載の装置。
【請求項１０】
コンピュータ読取可能記憶媒体であって、
コンピュータに対して、帯域幅範囲に保持された情報の収集を準備させるためのプログラムコードと、
前記コンピュータに対して、前記帯域幅範囲に保持された情報を収集させるためのプログラムコードと、
コンピュータに対して、前記収集された情報が、前記帯域幅範囲のガード帯域幅に存在するかを判定させるためのプログラムコードと、
コンピュータに対して、否定的な判定がなされるとフィルタリングを制限させ、肯定的な判定がなされるとフィルタリングを拡大させるためのプログラムコードとを備えるコンピュータ読取可能記憶媒体。
【請求項１１】
コンピュータに対して、前記収集された情報を抽出させるためのプログラムコードをさらに備える請求項１０に記載のコンピュータ読取可能記憶媒体。
【請求項１２】
コンピュータに対して、ガード・サブキャリアのうちの少なくとも２つのセットを比較させるためのプログラムコードと、
コンピュータに対して、前記比較によって判定された最小のガード・サブキャリアのセットを用いさせるためのプログラムコードとをさらに備え、
前記帯域幅範囲に保持された情報を収集させることは、ガード・サブキャリアのうちの少なくとも２つのセットを収集させることを含む請求項１０に記載のコンピュータ読取可能記憶媒体。
【請求項１３】
ガード帯域幅に保持された情報を通信するように構成された少なくとも１つのプロセッサであって、
帯域幅範囲に保持された情報の収集を準備する第１のモジュールと、
前記帯域幅範囲に保持された情報を収集する第２のモジュールと、
収集された情報が、前記帯域幅範囲のガード帯域幅に存在するかを判定する第３のモジュールと、
否定的な判定がなされるとフィルタリングを制限し、肯定的な判定がなされるとフィルタリングを拡大する第４のモジュールとを備える少なくとも１つのプロセッサ。
【請求項１４】
前記収集された情報を抽出する第５のモジュールをさらに備える請求項１３に記載のプロセッサ。
【請求項１５】
ガード・サブキャリアのうちの少なくとも２つのセットを比較する第５のモジュールと、
前記比較によって判定された最小のガード・サブキャリアのセットを用いる第６のモジュールとをさらに備え、
前記帯域幅範囲に保持された情報を収集することは、ガード・サブキャリアのうちの少なくとも２つのセットを収集することを含む請求項１３に記載のプロセッサ。
【発明の詳細な説明】
【相互参照】
【０００１】
本願は、２００８年５月１５日に出願され“ＳＹＳＴＥＭ  ＡＮＤ  ＭＥＴＨＯＤ  ＴＯ  ＥＮＡＢＬＥ  ＴＨＥ  ＵＳＥ  ＯＦ  ＧＵＡＲＤ  ＣＡＲＲＩＥＲＳ  ＴＯ  ＴＲＡＮＳＭＩＴ  ＡＤＤＩＴＩＯＮＡＬ  ＣＨＡＮＮＥＬＳ  ＦＯＲ  ＣＯＭＭＵＮＩＣＡＴＩＯＮ”と題された米国出願６１／０５３，６０４号への優先権を主張する。上記出願の全体は、本明細書に参照によって組み込まれる。
【技術分野】
【０００２】
以下の記載は、一般に、無線通信に関し、さらに詳しくは、情報を送信するためにガード帯域幅を使用することに関する。
【背景技術】
【０００３】
無線通信システムは、例えば、音声、データなどのようなさまざまなタイプの通信コンテンツを提供するために広く開発された。一般的な無線通信システムは、（例えば、帯域幅、送信電力などのような）利用可能なシステム・リソースを共有することにより、複数のユーザとの通信をサポートすることができる多元接続システムでありうる。そのような多元接続システムの例は、符号分割多元接続（ＣＤＭＡ）システム、時分割多元接続（ＴＤＭＡ）システム、周波数分割多元接続（ＦＤＭＡ）システム、および直交周波数分割多元接続（ＯＦＤＭＡ）システムなどを含む。
【０００４】
一般に、無線多元接続通信システムは、複数のモバイル・デバイスのための通信を同時にサポートすることができる。モバイル・デバイスはおのおのの、順方向リンクおよび逆方向リンクによる送信を介して１または複数の基地局と通信することができる。順方向リンク（すなわち、ダウンリンク）は、基地局からモバイル・デバイスへの通信リンクを称し、逆方向リンク（すなわち、アップリンク）は、モバイル・デバイスから基地局への通信リンクを称する。さらに、モバイル・デバイスと基地局との間の通信は、単一入力単一出力（ＳＩＳＯ）システム、複数入力単一出力（ＭＩＳＯ）システム、複数入力複数出力（ＭＩＭＯ）システム等によって確立されうる。
【０００５】
ＭＩＭＯシステムはデータ送信のために一般に、複数（ＮＴ個）の送信アンテナと複数（ＮＲ個）の受信アンテナとを適用する。ＮＴ個の送信アンテナおよびＮＲ個の受信アンテナによって形成されたＭＩＭＯチャネルは、空間チャネルと称されるＮＳ個の独立したチャネルへ分割されうる。ここで、ＮＳ≦｛ＮＴ，ＮＲ｝である。ＮＳ個の独立チャネルのおのおのは、ディメンションに相当する。さらに、複数の送信アンテナおよび受信アンテナによって生成される追加のディメンションが利用される場合、ＭＩＭＯシステムは、（例えば、高められたスペクトル効率、より高いスループット、および／またはより高い信頼性のような）向上されたパフォーマンスを与える。
【０００６】
ＭＩＭＯシステムは、共通の物理媒体によって順方向リンク通信および逆方向リンク通信を分割するために、さまざまなデュプレクス技術をサポートすることができる。例えば、周波数分割デュプレクス（ＦＤＤ）システムは、順方向リンク通信および逆方向リンク通信のために、異なる周波数領域を利用することができる。さらに、時分割デュプレクス（ＴＤＤ）システムでは、順方向リンク通信および逆方向リンク通信が、共通の周波数領域を利用することができる。しかしながら、従来技術は、チャネル情報に関して、制限されたフィードバックしか提供しないか、あるいは、フィードバックを全く提供しない。
【発明の概要】
【０００７】
以下は、１または複数の実施形態の基本的な理解を与えるために、そのような実施形態の簡略化された概要を示す。この概要は、考えられるすべての実施形態の広範囲な概観ではなく、すべての実施形態の重要要素や決定的要素を特定することも、何れかまたはすべての実施形態のスコープを線引きすることも意図されていない。その唯一の目的は、後に示されるより詳細な記載に対する前置きとして、簡略化された形式で１または複数の実施形態のいくつかの概念を表すことである。
【０００８】
１つの態様によれば、ガード帯域幅で情報を通信する方法が存在しうる。
【０００９】
この方法は、帯域幅範囲において、通信チャネルを配置すべきガード帯域幅を識別することを備えうる。この方法はさらに、ガード帯域幅に通信チャネルを配置することを備えうる。
【００１０】
別の態様では、無線通信装置が存在しうる。この装置は、帯域幅範囲において、通信チャネルを配置すべきガード帯域幅を識別するクラシファイヤを含みうる。さらにこの装置は、ガード帯域幅に通信チャネルを配置するディジネータ（designator）を含みうる。
【００１１】
さらなる態様によれば、帯域幅範囲において、通信チャネルを配置すべきガード帯域幅を識別する手段を備える無線通信装置が存在しうる。この装置はさらに、ガード帯域幅に通信チャネルを配置する手段を備えうる。
【００１２】
また別の態様では、格納されたマシン実行可能な命令群を有するマシン読取可能媒体が存在しうる。これら命令群は、帯域幅範囲において、通信チャネルを配置すべきガード帯域幅を識別し、このガード帯域幅に通信チャネルを配置するためのものでありうる。
【００１３】
さらなる態様によれば、無線通信システムにおける装置が存在しうる。この装置は、帯域幅範囲において、通信チャネルを配置すべきガード帯域幅を識別するように構成されたプロセッサを含みうる。さらに、このプロセッサは、ガード帯域幅に通信チャネルを配置するように構成されうる。
【００１４】
１つの態様によれば、ガード帯域幅に保持された情報を処理するための方法が存在しうる。この方法は、帯域幅範囲に保持された情報を収集することと、収集された情報が、帯域幅範囲のガード帯域幅に存在するかを判定することとを備える。
【００１５】
別の態様によれば、無線通信装置が存在しうる。この装置は、帯域幅範囲に保持された情報を収集するオブテイナ（obtainer）を備えうる。さらに、この装置は、収集された情報が、帯域幅範囲のガード帯域幅に存在するかを判定するロケータ（locator）を備えうる。
【００１６】
さらなる態様によれば、帯域幅範囲に保持された情報を収集する手段を含む無線通信装置が存在しうる。この装置はまた、収集された情報が、帯域幅範囲のガード帯域幅に存在するかを判定する手段を含みうる。
【００１７】
また別の態様によれば、帯域幅範囲に保持された情報を収集するための格納されたマシン実行可能な命令群を有するマシン読取可能媒体が存在しうる。また、収集された情報が、帯域幅範囲のガード帯域幅に存在するかを判定するための命令群も存在しうる。
【００１８】
さらなる態様によれば、無線通信システムが使用されうる。このシステムは、帯域幅範囲に保持された情報を収集するように構成されたプロセッサを備える装置を含みうる。このプロセッサはまた、収集された情報が、帯域幅範囲のガード帯域幅に存在するようにも構成されうる。
【００１９】
前述した目的および関連する目的を達成するために、１または複数の実施形態は、後に十分に記載され、特許請求の範囲において特に指摘されている特徴を備える。次の記載および添付図面は、１または複数の実施形態のある実例となる態様を詳細に記載する。しかしながら、これらの態様は、さまざまな実施形態の原理が適用されるさまざまな方法のうちの僅かしか示しておらず、記載された実施形態は、そのような全ての局面およびそれらの均等物を示すことが意図されている。
【図面の簡単な説明】
【００２０】
【図１】図１は、本明細書に記載されたさまざまな態様にしたがう無線通信システムの実例である。
【図２】図２は、本明細書に開示された態様にしたがう代表的な帯域幅範囲の実例である。
【図３】図３は、本明細書に開示された態様にしたがって、データ通信においてガード帯域幅を用いる代表的な帯域幅通信システムの実例である。
【図４】図４は、本明細書に開示された態様にしたがってガード帯域幅を評価するための代表的なシステムの実例である。
【図５】図５は、本明細書に開示された態様にしたがってガード帯域幅によって情報を送信するための代表的なシステムの実例である。
【図６】図６は、本明細書に開示された態様にしたがって通信帯域幅を生成するための代表的なシステムの実例である。
【図７】図７は、本明細書に開示された態様にしたがって、ガード帯域幅に保持された情報を処理する詳細なモバイル・デバイスを備えた代表的な通信システムの実例である。
【図８】図８は、本明細書に開示された態様にしたがってガード帯域幅で情報を通信するための代表的な方法の実例である。
【図９】図９は、本明細書に開示された態様にしたがってガード帯域幅のチャネルに配置された情報を処理するための代表的な方法の実例である。
【図１０】図１０は、本明細書に開示された態様にしたがってガード帯域幅におけるデータ・チャネルの使用を容易にするモバイル・デバイスの実例である。
【図１１】図１１は、本明細書に開示された態様にしたがってガード帯域幅におけるデータ・チャネルの使用を容易にするシステムの実例である。
【図１２】図１２は、本明細書に記載されたさまざまなシステムおよび方法と共に適用されうる無線ネットワーク環境の実例である。
【図１３】図１３は、本明細書に開示された態様にしたがって情報を転送するためにガード帯域幅を使用することを容易にするシステムの実例である。
【図１４】図１４は、本明細書に開示された態様にしたがってガード帯域幅によって送信された情報を処理するシステムの実例である。
【発明を実施するための形態】
【００２１】
本明細書に記述された技術は、例えば、符号分割多元接続（ＣＤＭＡ）、時分割多元接続（ＴＤＭＡ）、周波数分割多元接続（ＦＤＭＡ）、直交周波数分割多元接続（ＯＦＤＭＡ）、単一キャリアＦＤＭＡ（ＳＣ−ＦＤＭＡ）、およびその他のシステムのようなさまざまな無線通信システムのために使用されうる。「システム」、「ネットワーク」という用語はしばしば置換可能に使用される。ＣＤＭＡシステムは、例えばユニバーサル地上ラジオ・アクセス（ＵＴＲＡ）、ＣＤＭＡ２０００などのようなラジオ技術を実現することができる。ＵＴＲＡは、広帯域ＣＤＭＡ（Ｗ−ＣＤＭＡ）およびＣＤＭＡのその他の変形を含んでいる。ＣＤＭＡ２０００は、暫定規格（ＩＳ）−２０００、ＩＳ−９５規格、およびＩＳ−８５６規格をカバーする。ＴＤＭＡシステムは、例えばグローバル移動体通信システム（ＧＳＭ（登録商標））のような無線技術を実現することができる。ＯＦＤＭＡシステムは、例えば、イボルブド・ユニバーサル地上ラジオ・アクセス（イボルブドＵＴＲＡあるいはＥ−ＵＴＲＡ）、ウルトラ・モバイル・ブロードバンド（ＵＭＢ）、電気電子学会（ＩＥＥＥ）８０２．１１（Ｗｉ−Ｆｉ）、ＩＥＥＥ  ８０２．１６（ＷｉＭＡＸ）、ＩＥＥＥ  ８０２．２０、フラッシュ−ＯＦＤＭ等のようなラジオ技術を実現する。ここで、ユニバーサル地上ラジオ・アクセス（ＵＴＲＡ）およびＥ−ＵＴＲＡは、ユニバーサル・モバイル・テレコミュニケーション・システム（ＵＭＴＳ）の一部である。３ＧＰＰロング・ターム・イボリューション（ＬＴＥ）は、Ｅ−ＵＴＲＡを使用するＵＭＴＳの最新リリースであり、ダウンリンクではＯＦＤＭＡを用い、アップリンクではＳＣ−ＦＤＭＡを用いる。ＵＴＲＡ、Ｅ−ＵＴＲＡ、ＵＭＴＳ、ＬＴＥ、およびＧＳＭは、「第３世代パートナシップ計画プロジェクト」（３ＧＰＰ）と命名された組織からのドキュメントに記述されている。ＣＤＭＡ２０００およびＵＭＢは、「第３世代パートナシップ計画プロジェクト」（３ＧＰＰ２）と命名された組織からドキュメントに記述されている。
【００２２】
さまざまな実施形態が、全体を通じて同一要素を示すために同一の参照番号が使用される図面を参照して説明される。次の記述では、説明の目的のために、多数の特定の詳細が、１または複数の実施形態についての完全な理解を提供するために記述される。しかしながら、そのような実施形態は、これら具体的な詳細なしで実現されうることが明白でありうる。他の事例では、１または複数の実施形態の記載を容易にするために、周知の構成およびデバイスがブロック図形式で示される。
【００２３】
本願で使用されるように、用語「構成要素」、「モジュール」、「システム」等は、ハードウェア、ファームウェア、ハードウェアとソフトウェアとの組み合わせ、ソフトウェア、または実行中のソフトウェアのようなコンピュータ関連エンティティを称することが意図される。例えば、構成要素は、限定される訳ではないが、プロセッサ上で実行中のプロセス、プロセッサ、オブジェクト、実行形式、実行スレッド、プログラム、および／またはコンピュータでありうる。例示によれば、コンピュータ・デバイス上で実行中のアプリケーションと、コンピュータ・デバイスとの両方が構成要素になりえる。１または複数の構成要素は、プロセスおよび／または実行スレッド内に存在し、構成要素は、１つのコンピュータに局在化されるか、および／または、２つ以上のコンピュータに分散されうる。さらに、これらの構成要素は、さまざまなデータ構造を格納したさまざまなコンピュータ読取可能媒体から実行可能である。構成要素は、例えば、１または複数のデータ・パケット（例えば、シグナルによって、ローカル・システム内の別の構成要素とインタラクトする１つの構成要素からのデータ、配信システムからのデータ、および／または、他のシステムを備えたインターネットのようなネットワークを介したデータ）を有する信号にしたがってローカル処理および／または遠隔処理によって通信することができる。それに加えて、いくつかの態様では、方法またはアルゴリズムのステップおよび／または動作が、コンピュータ・プログラム製品に組み込まれうるマシン読取可能媒体および／またはコンピュータ読取可能媒体における命令群および／またはコードのうちの１つまたは任意の組み合わせまたはセットとして存在しうる。
【００２４】
さらに、本明細書では、さまざまな実施形態が、モバイル・デバイスに関連して記載される。モバイル・デバイスはまた、システム、加入者ユニット、加入者局、モバイル局、モバイル、遠隔局、遠隔端末、アクセス端末、ユーザ端末、端末、無線通信デバイス、ユーザ・エージェント、ユーザ・デバイス、あるいはユーザ機器（ＵＥ）とも称されうる。モバイル・デバイスは、セルラ電話、コードレス電話、セッション初期化プロトコル（ＳＩＰ）電話、ワイヤレス・ローカル・ループ（ＷＬＬ）局、携帯情報端末（ＰＤＡ）、無線接続機能を有するハンドヘルド・デバイス、コンピュータ・デバイス、あるいは無線モデムに接続されたその他の処理デバイスでありうる。さらに、本明細書では、さまざまな実施形態が、基地局に関連して記載される。基地局は、モバイル・デバイスと通信するために利用され、アクセス・ポイント、ノードＢ、あるいはその他の専門用語でも称されうる。
【００２５】
さらに、本明細書に記載のさまざまな態様または特徴は、標準的なプログラミング技術および／またはエンジニアリング技術を用いた方法、装置、または製造物品として実現されうる。本明細書で使用される用語「製造物品」は、任意のコンピュータ読取可能デバイス、キャリア、または媒体からアクセスすることが可能なコンピュータ・プログラムを含むことが意図される。例えば、コンピュータ読取可能媒体は、限定される訳ではないが、磁気記憶装置（例えば、ハード・ディスク、フロッピー（登録商標）ディスク、磁気ストリップなど）、光ディスク（例えば、コンパクト・ディスク（ＣＤ）、ＤＶＤなど）、スマート・カード、およびフラッシュ・メモリ・デバイス（例えば、ＥＰＲＯＭ、カード、スティック、キー・ドライブなど）を含みうる。さらに、本明細書に記載されたさまざまな記憶媒体は、情報を格納するための１または複数のデバイス、および／または、その他のマシン読取可能媒体を表すことができる。用語「マシン読取可能媒体」は、限定されることなく、無線チャネル、および、命令群および／またはデータを格納、包含、および／または搬送することができるその他任意の媒体を含みうる。
【００２６】
図１に示すように、本明細書に記載されたさまざまな実施形態にしたがった無線通信システム１００が例示されている。システム１００は、複数のアンテナ・グループを含みうる基地局１０２を備える。例えば、１つのアンテナ・グループは、アンテナ１０４、１０６を含み、別のグループは、アンテナ１０８、１１０を備え、さらに別のグループは、アンテナ１１２、１１４を含みうる。おのおののアンテナ・グループについて２つのアンテナしか例示されていないが、２より多い、または、２より少ないアンテナも、おのおののグループのために利用される。基地局１０２はさらに、送信機チェーンおよび受信機チェーンを含むことができる。これらチェーンのおのおのは、当業者によって認識されるように、信号の送信および受信に関連付けられた複数の構成要素（例えば、プロセッサ、変調器、マルチプレクサ、復調器、デマルチプレクサ、アンテナ等）を備えうる。
【００２７】
基地局１０２は、例えばモバイル・デバイス１１６およびモバイル・デバイス１２２のような１または複数のモバイル・デバイスと通信することができる。しかしながら、基地局１０２は、モバイル・デバイス１１６、１２２に類似した実質的に任意の数のモバイル・デバイスと通信することができることが認識されるべきである。モバイル・デバイス１１６、１２２は例えば、セルラ電話、スマート・フォン、ラップトップ、ハンドヘルド通信デバイス、ハンドヘルド・コンピュータ・デバイス、衛星ラジオ、全地球測位システム、ＰＤＡ、および／または、無線通信システム１００を介して通信するのに適切なその他任意のデバイスでありうる。図示するように、モバイル・デバイス１１６は、アンテナ１１２およびアンテナ１１４と通信している。ここで、アンテナ１１２およびアンテナ１１４は、順方向リンク１１８によってアクセス端末１１６へ情報を送信し、逆方向リンク１２０によってアクセス端末１１６から情報を受信する。さらに、モバイル・デバイス１２２はアンテナ１０４およびアンテナ１０６と通信している。ここで、アンテナ１０４およびアンテナ１０６は、順方向リンク１２４でアクセス端末１２２へ情報を送信し、逆方向リンク１２６でアクセス端末１２２から情報を受信する。周波数分割デュプレクス（ＦＤＤ）システムでは、順方向リンク１１８は、例えば、逆方向リンク１２０によって使用されるものとは異なる周波数帯域を利用し、順方向リンク１２４は、逆方向リンク１２６によって使用されるものとは異なる周波数帯域を利用することができる。さらに、時分割デュプレクス（ＴＤＤ）システムでは、順方向リンク１１８と逆方向リンク１２０とが、共通の周波数帯域を利用し、順方向リンク１２４と逆方向リンク１２６とが、共通の周波数帯域を利用することができる。
【００２８】
通信するように指定された領域および／またはアンテナのセットは、基地局１０２のセクタと称される。例えば、基地局１０２によってカバーされている領域のセクタにおけるモバイル・デバイスに通信するために、複数のアンテナが設計されうる。順方向リンク１１８、１２４による通信では、基地局１０２の送信アンテナは、モバイル・デバイス１１６、１２２のための順方向リンク１１８、１２４の信号対雑音比を向上するために、ビームフォーミングを利用することができる。さらに基地局１０２が、関連付けられた有効通信範囲にわたってランダムに散在しているモバイル・デバイス１１６、１２２へ送信するためにビームフォーミングを利用している間、近隣セルにおけるモバイル・デバイスは、すべてのモバイル・デバイスに対して単一アンテナによって送信している基地局に比べて少ない干渉しか被らない。
【００２９】
図２に示すように、ガード帯域幅を用いた帯域幅構成２００の例が開示されている。従来の動作では、基地局およびモバイル・デバイスは、帯域幅の範囲（例えば、利用可能な周波数の範囲）で互いに通信しうる。しかしながら、特に、通信している基地局が、比較的高い電力で動作している状況においては、通信が生じた場合、帯域幅範囲からのリークが存在する可能性がある。このリークは、近隣の帯域幅範囲における通信に対して干渉を引き起こす場合がある。
【００３０】
この干渉およびリークの問題を緩和するために、通信システムにおいてガード帯域幅が使用されうる。ガード帯域幅は、一般に未使用である帯域幅範囲の終端に沿った帯域幅の部分である。例えば、帯域幅範囲は、Ｆ１からＦ２までの範囲を有しうる。端部に沿って、帯域幅範囲において、情報が一般に通信されない制限（例えば、Ｆ１からＦ１−ｘまで、および、Ｆ２−ｙからＦ２まで）が設定されうる。周波数分離が増えると、１つの周波数帯域から他の周波数帯域へのリークは減少する。ガード帯域が、周波数分離を提供する。ガード帯域幅は、２つの機能を提供することができる。すなわち、他の帯域幅範囲における通信からの干渉の阻止（例えば、他の周波数範囲が通信と干渉しない）と、通信からのインパクトの最小化（例えば、情報は、他の周波数範囲の情報と干渉しない）である。
【００３１】
しかしながら、比較的低電力の基地局（例えば、フェムト・セル基地局）を用いると、一般に、リークは最小となり、もって、干渉も最小となる。したがって、ガード帯域幅（例えば、ガード、標準サイズのガード）を用いると、通信に利用可能な帯域幅が最大化されないので、通信が阻止される。ガード帯域幅は、適切な場合に情報を通信するために使用されうるので、通信を改善しうる。チャネル２０２は、ガード帯域幅に配置され、少なくとも１つのモバイル・デバイスに情報を通信するために使用されうる。チャネル２０２に配置するための情報が選択され、モバイル・デバイスへ送信される。モバイル・デバイスは、情報がガード帯域幅に保持されているかを判定し、それにしたがって、この情報を処理しうる。
【００３２】
ガード帯域幅を使用することは、研究界において従来理解されているものに反する。ガード帯域幅には、リークを阻止するために、データ通信のために利用可能な犠牲帯域幅が明確に追加されうる。したがって、大量の情報を送信するために、ガード帯域幅によって提供される保護を最小化するという研究傾向に反するであろう。しかしながら、低電力の基地局に関して、理論的に予期しない結果が生じ、情報は、リークを増加する（例えば、所望のしきい値を超える）ことなく、ガード帯域幅で通信されるようになる。このように、リーク電力は一般に、送信機電力と、ガード帯域幅の量に依存する。リーク電力は、送信電力が増加すると増加し、周波数分離が増加すると減少する。固定許容量のリーク電力の場合、一般に、高電力の基地局のために、より広いガード帯域幅が必要とされ、低電力の基地局のために、より狭いガード帯域幅が使用されうる。
【００３３】
チャネル（例えば、追加チャネル）を送信するためにガード・サブキャリアを使用することによって、レガシー・デバイスとの下位互換性を容易にしうる。レガシー端末は、一般に、ガード・サブキャリアをモニタしないので、新たなチャネルによって悪影響を被ることはない。必要以上に広いガードをレガシー・デバイスへ通知することによって、レガシー互換性を維持しながら、新たなチャネルが追加される。「通知されたガード」サブキャリアは、ガード・サブキャリアの一部であり、新たなチャネルを送信するために使用されうる。例えば、ＬＴＥ基地局動作は、特別な送信要件を満たすために、１６のガード・サブキャリアを必要とすることができる。ＬＴＥ基地局は、約２４のガード・サブキャリアを使用することをレガシーＬＥＴデバイスへ通知しうる。しかしながら、実際の動作では、１６のガード・サブキャリアのみしか使用されない。そのような場合、レガシーＬＴＥ端末は、（Ｎ−２４）個のサブキャリアをモニタしうる（例えば、排他的にモニタしうる）。ここでＮは、サブキャリアの合計数である。残りの８つの通知されたガード・サブキャリアは、新たなＬＴＥ端末によってモニタされる（例えば、排他的にモニタされる）新たなチャネルを送信するために使用されうる。これらチャネルは、レガシーＬＴＥ端末のガード帯域幅にあるので、レガシーＬＴＥ端末はこれらチャネルをモニタせず、もって、新たなチャネルによって悪影響を受けない。さらに、上記の例において、スペクトル送信要件を満たすために１６のガード・サブキャリアで十分であるので、高電力の基地局でさえも、本明細書に開示された態様を使用しうる。通知された量は、ガード帯域幅であるか、あるいは、使用された帯域幅（例えば、合計からガード帯域幅が引かれたもの）でありうることが認識されるべきである。
【００３４】
図３に示すように、一般に、非ガード部分における情報の通信と連携して、ガード帯域幅によって情報を送信するためのシステム３００の例が開示される。ガード帯域幅は、例えば、基地局３０２（例えば、マクロ基地局（ノードＢ））とモバイル・デバイス３０４（例えば、ユーザ機器（ＵＥ））との間の低レート通信のために適切な情報のような特別な情報を転送するために使用されうる。しかしながら、ガード帯域幅は、通信チャネルをホストすることに加えて、その他の帯域幅範囲に対するリークを制限するために使用されうる。
【００３５】
基地局３０２は、帯域幅範囲において、通信チャネルを配置すべきガード帯域幅を識別するクラシファイヤ３０６を含みうる。ガード帯域幅を判定するために、帯域幅範囲に対する分析が実行されうる。１つの実施形態によれば、ガード帯域幅は、基地局からの実質的にすべての通信に対して標準的（例えば、ｘ周波数、帯域幅範囲のうち設定されたパーセンテージ等のような設定された量）であり、もって、クラシファイヤ３０６は、ルック・アップの実行、比較的小さな計算の実行、検証測定の採用等を行いうる。しかしながら、通信している他の基地局、送信されるべき情報、およびその他の要因に依存して、ガード帯域幅は、個々の送信または送信タイプに特有のものでありうる。よって、クラシファイヤ３０６は、この範囲を識別するためにより複雑な分析を実行しうる。ディジネータ３０８は、ガード帯域幅に通信チャネルを配置しうる（例えば、情報がモバイル・デバイス３０４へ通信されるチャネルを開く）。それに加えて、クラシファイヤ３０６は、（例えば、ディジネータ３０８によって配置された）少なくとも１つの新たなチャネルを配置するために、マルチキャリア構成における異なるサブキャリアからなる帯域幅範囲間のガード・サブキャリアを識別しうる。
【００３６】
オブテイナ３１０は、帯域幅範囲に保持された（例えば、ガード部および／または非ガード部に保持された）情報を収集しうる。ロケータ３１２は、収集された情報が、帯域幅範囲のガード帯域幅に存在するかを判定しうる。モバイル・デバイス３０４は、別の基地局と通信することが可能であるので、いくつかの通信セッションが、ガード帯域幅で情報を送信する一方、いくつかの通信セッションは、ガードを使用しない。１つの実施では、モバイル・デバイス３０４は、個々の基地局との通信に関連する情報をストレージ内に保持し、将来の使用においてリソースを節約するために、これら保持された情報を使用しうる。例えば、特定の基地局が、ガード帯域幅におけるチャネルで情報をヒストリカルに送信する場合、モバイル・デバイス３０４は、基地局３０２が、このガードにおいて情報を通信すると仮定し、それにしたがって、動作を自動的に修正しうる。本明細書において基地局３０２の一部として開示されている機能は、モバイル・デバイス３０４において使用され、本明細書において開示されたモバイル・デバイス３０４の機能が、基地局３０２において使用されうることが認識されるべきである。例えば、モバイル・デバイス３０４は、クラシファイヤ３０６および／またはディジネータ３０８を含みうる。
【００３７】
図４に示すように、ガード帯域幅を使用して情報を通信するためのシステム４００の例が開示されている。基地局３０２は、帯域幅範囲内にガード帯域幅があるかを識別し、もしあるのであれば、ガード帯域幅がどこにあるのかを識別するクラシファイヤ３０２を使用しうる。これは、（例えば、予測された通信が、ガード帯域幅を使用するべきであるかを判定するような）動作前のみならず、帯域幅範囲によって情報が送信されると生じうる。
【００３８】
テスタ（tester）４０２は、情報を送信するためにガード帯域幅が使用されるべきか（例えば、使用されることが可能であるか、使用されるべきであるか等）を判定しうる。一般に、この判定は、送信機の送信電力に基づく（例えば、比較的低電力の基地局が、ガード帯域幅を使用しうる）。ガード帯域幅を使用するいくつかのノードＢおよび／またはＵＥは、特定のスペクトル基準を満足しないことがありうる。しかしながら、（例えばマクロ・ノードＢよりも低い）比較的低い電力が考慮される場合、ガード帯域幅のうちの少なくともある部分が、送信のために使用されうる。ガード帯域幅における信頼性の高い通信のために送信電力が高すぎる（例えば、推定されたリークが、所望の量を超えている）とテスタ４０２によって初期判定された場合、テスタ４０２は、リークを最小化するために基地局の電力が低減されたかを判定し、ガード・チャネルを考慮しうる。
【００３９】
基地局３０２は、ガード帯域幅のどこに通信チャネルを配置するのかを判定するアナライザ４０４を適用しうる。ガードのすべてを占有するために、ガードのすべてまたは複数のチャネルにチャネルが配置される一方、少なくともいくつかの状況においては、ガードのうちの一部のみを使用することが望ましい。例えば、予期されるリークによって、アナライザ４０４は、いくつかのガードが開いたままであるべきと判定しうる。この判定および／または特性評価（例えば、ガードに配置されるべき情報の重要度、帯域幅内の情報の重要度、予期されるリーク等）に基づいて、アナライザ４０４は、ガード内にチャネルが配置されるべき場所を判定しうる。例えば、配置は、ガード中央であったり、端部またはガード方向を向いていたり、または、端部またはガードに対向していたり、ランダム配置等でありうる。さらに、アナライザ４０４は、通信されるべき情報の評価に基づいて、チャネルのサイズを選択しうる。
【００４０】
１つの実施形態によれば、アナライザ４０４は、チャネルが干渉を引き起こさないような、ガード帯域幅におけるチャネルの配置を選択しうる。それに加えて、チャネル上のデータが、非ガード帯域幅のみならずその他の帯域幅範囲のデータ部における既存のまたは予期される通信によって干渉を受けないように配置が選択されうる。１つの実施では、局所的なガード帯域幅を使用することによって、チャネルが保護される（例えば、新たなチャネルが、自分自身のガード帯域幅を有する）。局所的なガード帯域幅は、ガード帯域幅で送信されないチャネルのためにも有用であることが認識されるべきである。
【００４１】
基地局３０２は、（例えば、エリア内の複数のモバイル・デバイスに対して）グローバルに、あるいは、（例えば、特定のモバイル・デバイスに対して）直接的に通信するために、帯域幅範囲を利用しうる。この通信に基づいて、モバイル・デバイス３０４は、オブテイナ３１０によって、帯域幅範囲内の情報を収集しうる。モバイル・デバイス３０４は、収集された情報が、帯域幅範囲のガード帯域幅に存在するかを判定するロケータ３１２を使用しうる。
【００４２】
図５を参照して、ガード帯域幅で情報を通信するためのシステム５００の例が開示される。基地局３０２は、帯域幅範囲を用いて、モバイル・デバイス３０４へと情報を通信しうる。基地局３０２は、通信チャネルを配置すべき帯域幅内のガード帯域幅を識別するクラシファイヤ３０６を使用しうる。識別されると、ディジネータ３０８が、情報を通信するために使用されうるガード帯域幅に基づいて、通信チャネルを配置しうる。
【００４３】
通信チャネルの配置に加えて、情報は、チャネルにおける通信のために指定されうる。１つの実施形態によれば、チャネルは、指定されると、次に、通信のための情報が割り当てられる。しかしながら、代替構成によれば、情報が選択され、この選択に基づいて、チャネルが生成され配置されうる。基地局３０２は、通信チャネルにおける送信のために指定すべき情報を判定するエバリュエータ（evaluator）５０２を使用しうる。通信チャネルにおける送信のための情報を指定するセレクタ５０４が、エバリュエータ５０２と連携する。したがって、エバリュエータ５０２は、送信されるべき情報を分析し、セレクタ５０４は、この分析の結果に応じて、ガードで使用すべき情報を選択しうる。１つの実施では、指定すべき情報の決定は、通信レートに基づく。
【００４４】
例えば、ガード帯域幅におけるチャネルは、低レート通信のために使用され、時間再使用または周波数再使用を適用しうる。時間再使用では、異なる時間において、同一チャネル上の異なるソースから複数のメッセージが送信される。衝突がない場合、メッセージが伝えられる。衝突がある場合（例えば、複数の基地局および／またはモバイル・デバイスが一度に送信する場合）、基地局は、（例えば、ランダムに選択された遅延を用いて）後で再送信を試みうる。周波数再使用では、複数のメッセージが一度に（例えば、ビーコン・ベースのシグナリングを用いて）伝送されうる。チャネルで送信されうるメッセージの例は、リソース利用メッセージ（ＲＵＭ：resource utilization message）および／または低再使用プリアンブル（ＬＲＰ：low reuse preamble）のみならず、その他の低レート制御メッセージをも含みうる。ＲＵＭは、改善された機能を可能にするために、一定のリソースを空けるようにと、近隣のエンティティ（例えば、基地局および／またはモバイル・デバイス）に対してなされる要求でありうる。ＬＲＰは、近隣のデバイスが比較的低い電力であっても、（例えば、モバイル・デバイスのような）デバイスに対して、（例えば、基地局のような）近隣のデバイスを識別することを可能にするために送信されるメッセージでありうる。さらに、基地局３０２は、指定された情報を、通信チャネルによってモバイル・デバイス３０４へ送信する送信機５０６を使用しうる。モバイル・デバイス３０４は、帯域幅範囲に保持された情報を収集するオブテイナ３１０と、収集された情報が、帯域幅範囲のガード帯域幅に存在するかを判定するロケータ３１２とを含みうる。
【００４５】
図６に示すように、ガード帯域幅内のチャネルで情報を通信するシステム６００の例が開示される。基地局３０２は、ジェネレータ６０２によって生成された帯域幅範囲によってモバイル・デバイス３０４と通信しうる。ジェネレータ６０２は、帯域幅のための予め定義された制限を評価するのみならず、使用する帯域幅範囲を決定するための条件を積極的に分析しうる。帯域幅範囲を生成することの一部として、ジェネレータ６０２はまた、ガード帯域幅をも生成しうる。動作において、ジェネレータ６０２は、必要以上のガード帯域幅を通知し、新たなチャネルを追加するための追加のガード帯域幅を使用しうる。ジェネレータ６０２はさらに、第１のクラスのデバイス（例えば、レガシー・デバイス）によってモニタされた第１のチャネルで、ガード・サブキャリアの第１のセットを通知し、第２のクラスのデバイス（例えば、非レガシー・デバイス）によってモニタされた第２のチャネルで、ガード・サブキャリアの第２のセットを通知しうる。マルチキャリア動作では、大きな帯域幅領域が、おのおのがキャリアと称される複数の小さな帯域幅セグメントに分割される。これらキャリアのいくつかは、少なくともいくつかのＵＥ（例えば、レガシーＵＥ）に関する限り、他のキャリアと独立して動作しうる通信システムを適用するために使用されうる。すなわち、（例えば、マルチキャリア動作をサポートしていない）レガシーＵＥが、唯一のキャリアしか存在している場合に類似した方式で、これらキャリアのうちの１つを用いて基地局へ通信できるように、システム６００が構成されうる。そのようなシステムでは、２つのキャリアが使用する帯域幅の間にガード帯域幅が存在する場合、ガード帯域幅は、新たなチャネルを非レガシーＵＥへ送信するために使用されうる。クラシファイヤ３０６は、通信チャネルを配置すべき帯域幅範囲におけるガード帯域幅を識別しうる。基地局３０２は、情報を送信するためにガード帯域幅をいつ使用するかを識別するメジャラ（measurer）６０４を利用しうる。適切な場合、ディジネータ３０８は、ガード帯域幅に通信チャネルを配置しうる。
【００４６】
本明細書に開示されたさまざまな態様では、人工知能技術が使用されうる。すなわち、本明細書でなされる判定は、人工知能技術を用いて実現されうることが認識されるべきである。本明細書に記載されたさまざまな自動化態様にしたがって、これらの技術は、（例えば、Ｈｉｄｄｅｎ  Ｍａｒｋｏｖ  Ｍｏｄｅｌｓ（ＨＭＭ）および関連する原型依存モデル、例えば、Ｂａｙｅｓｉａｎモデル・スコアまたは近似を用いた構造探索によって生成されるＢａｙｅｓｉａｎネットワークのようなより一般的な確率論的グラフィック・モデル、例えば、サポート・ベクトル・マシン（ＳＶＭ）のような線形クラシファイヤ、例えば、「ニューラル・ネットワーク」方法と称される方法のような非線形クラシファイヤ、ファジー理論方法、および、データ融合を実行するその他のアプローチ等のように）データから学習を行い、複数の記憶装置に情報を動的に格納することに関連する推論および／または判定を行うための数多くの方法のうちの１つを適用しうる。モバイル・デバイス３０４は、帯域幅範囲に保持された情報を収集するオブテイナ３１０と、収集された情報が、帯域幅範囲のガード帯域幅に存在するかを判定するロケータ３１２とを含みうる。
【００４７】
図７に示すように、情報を通信するためにガード帯域幅を用いる、詳細なモバイル・デバイス３０４を強調したシステム７００の例が開示される。基地局３０２は、通信チャネルを配置すべき帯域幅範囲内のガード帯域幅を識別するクラシファイヤ３０６を含みうる。それに加えて、基地局３０２は、ガード帯域幅に通信チャネルを配置するディジネータ３０８を使用しうる。
【００４８】
モバイル・デバイス３０４は、（例えば、ガード部分および非ガード部分のような）帯域幅範囲内の情報を処理しうる。帯域幅範囲に保持された情報の収集を準備するレギュレータ（regulator）７０２が使用されうる。収集の準備は、モバイル・デバイス３０４を活性化すること（例えば、モバイル・デバイス３０４を起動すること）と、モバイル・デバイス３０４が情報を収集できるようにすることと、基地局とのリンクを生成することと、モニタされる周波数範囲を変更すること等を含みうる。帯域幅範囲に保持された情報を収集するオブテイナ３１０が使用されうる。収集された情報が（例えば、人工知能技術を用いることによって）評価され、この評価の結果に基づいて、ロケータ３１２は、収集された情報が、帯域幅範囲のガード帯域幅に存在するかを判定する。
【００４９】
モバイル・デバイス３０４の構成に基づいて、動作を向上するために、フィルタリングが行われる。フィルタリングは一般に、情報が期待されている帯域幅範囲外の信号および雑音を除去するために使用される。例えば、モバイル・デバイス３０４は、ガードのない帯域幅範囲内の情報を期待しうる。ロケータ３１２は、この期待が正しくないと判定すると、ガード帯域幅を含めるようにフィルタリングが拡大されるべきである。同様に、モバイル・デバイス３０４は、ガード内の情報を期待する。このガードは、使用されておらず、効率を向上するためにフィルタリングが縮小されるべきである。したがって、否定的な判定がなされるとフィルタリングを制限し、肯定的な判定がなされるとフィルタリングを拡大するレギュレータ７０４を使用する。例えば、データのために利用可能な帯域幅に最も近いガード帯域幅の半分が、チャネルを含んでいる場合、ガードの半分を含むようにフィルタリングが拡大されうる。収集された情報を抽出する（例えば、ガード情報および非ガード情報を分離する）リムーバ（remover）７０６が使用されうる。さらに、リムーバ７０６は、ガード・サブキャリアのうちの少なくとも２つのセットを比較し、この比較によって判定された非ガード・サブキャリアの最大セットに情報を保持する。オブテイナ３１０は、ガード・サブキャリアのうちの少なくとも２つのセットを収集する。
【００５０】
図８および図９を参照して、ガード帯域幅による通信に関する方法を示す。説明を単純にする目的で、これら方法は、一連の動作として示され説明されているが、これら方法は、１または複数の実施形態にしたがって、幾つかの動作が本明細書で示され記載されたものとは異なる順序で、あるいは他の動作と同時に生じうるので、動作の順序によって限定されないことが理解され認識されるべきである。例えば、当業者であれば、これら方法はその代わりに、例えば状態図におけるように、一連の相互関連する状態またはイベントとして表されうることを理解し認識するだろう。さらに、１または複数の実施形態にしたがって方法を実現するために、必ずしも例示されたすべての動作が必要とされる訳ではない。
【００５１】
図８を参照して、ガード帯域幅で情報を通信するための方法８００が開示される。（例えば、ガード帯域幅を含む）帯域幅範囲が、イベント８０２で生成される。１つの実施形態によれば、送信されるべき情報、および／または、他のエンティティによって使用される帯域幅が評価され、この評価の結果に基づいて、帯域幅が生成（例えば、確保、使用等）される。
【００５２】
帯域幅範囲の一部としてガード部分が存在するか、および、このガード部分が使用可能であるかを判定するために、チェック８０４が用いられる。例えば、（例えば、製造時に知られている）基地局の電力が高すぎる場合、動作８０６において、チェックによって、標準的な手順が使用されるべきであることを判定しうる。チェック８０４は、情報を送信するために、ガード帯域幅をいつ使用すべきかを識別することを表しうる。ガードが使用されるべきであると判定された場合、この方法は、動作８０８に続く。
【００５３】
動作８０８では、通信チャネルを配置すべき帯域幅範囲においてガード帯域幅が識別される。動作８１０では、送信されうる情報および帯域幅範囲が分析されうる。動作８１０は、（例えば、通信チャネル上での）送信のために指定する情報を判定することを含みうる。
【００５４】
チャネルが使用されるべきかを判定する別のチェック８１２がなされ、もしチャネルが使用されるべきではないと判定された場合、方法８００は動作８０６に進む。チェック８１２は、イベント８１０でなされた分析の結果に基づきうる。例えば、情報が少量しかなく、広い非ガード帯域幅が利用可能である場合、ガード部におけるチャネルは使用されるべきではないと判定されうる。
【００５５】
チャネルが使用されるべきである場合、動作８１４において送信のための情報が選択されうる。したがって、動作８１４は、通信チャネルで送信するための情報を指定することを示しうる。情報が選択されると、イベント８１６において、ガード帯域幅のどこに通信チャネルを配置すべきかが判定されうる。動作８１８では、ガード帯域幅上に通信チャネルが配置され、イベント８２０において、指定された情報が、通信チャネルで送信される。
【００５６】
図９を参照して、帯域幅範囲によって通信された情報を処理する方法９００の例が開示される。一般に、少なくとも１つの基地局と、少なくとも１つのモバイル・デバイスとの間でなされる通信セッションは、動作９０２において開始される。動作イベント９０４では、帯域幅範囲に保持された情報の収集が行われうる。
【００５７】
収集された情報が、帯域幅範囲のガード帯域幅に存在するか、あるいは、非ガード部に存在するかの判定が、動作９０６においてなされうる。フィルタ範囲が、情報が保持される場所に関し適切であるかを判定するチェック９０８がなされうる。フィルタリングが制限されている場合、フィルタリングが拡大されるべきである場合、方法９００は、拡大するための動作９１２に進みうる。動作９１０および動作９１２は、否定的な判定がなされた場合にフィルタリングを制限し、肯定的な判定がなされた場合にフィルタリングを拡大することを示しうる。図示していないが、チェック９０８の結果が、フィルタリングが適切であり、変更されるべきではないとの判定となることもありうる。チェック９０８の結果に関わらず、方法９００は、最終的には、収集された情報を抽出するためのイベント９１４に移る。抽出された情報は、動作９１６において処理されうる（例えば、抽出された情報が格納され、抽出された情報に基づいて動作が変更される等がなされる）。
【００５８】
本明細書に記載された１または複数の態様にしたがって、どのようにガード帯域幅を使用するか、どのように情報を抽出するか等について推論がなされうることが認識されるだろう。本明細書で使用されるように、「推論する」または「推論」なる用語は一般に、イベントおよび／またはデータによって取得されたような観察のセットから、シテム、環境、および／または、ユーザの状態の推論あるいはそれらに関する推理のプロセスを称する。推論は、特定のコンテキストまたは動作を特定するために適用されるか、あるいは、例えば状態にわたる確率分布を生成しうる。推論は、確率論的、すなわち、データおよびイベントの考慮に基づいて、該当する状態にわたる確率分布を計算することでありうる。推論はまた、イベントおよび／またはデータのセットから、より高いレベルのイベントを構築するために適用される技術を称することができる。そのような推論によって、イベントが時間的に近接していようといまいと、これらイベントおよびデータが１または幾つかのイベント・ソースおよびデータ・ソースに由来していようと、観察されたイベントおよび／または格納されたイベント・データのセットから、新たなイベントまたは動作を構築することができる。
【００５９】
一例によれば、上述された１または複数の方法は、ガード帯域幅に配置されたチャネルによって情報を送信することに関して推論することを含みうる。さらなる実例として、推論は、意図された用途や、所望の節電等に基づいて、ウェイクアップ期間パラメータとして物理フレームの数を選択することに関してなされうる。前述した例は本質的には例示的であり、本明細書に記載されたさまざまな実施形態および／または方法と連携してなされうる推論の数、あるいは、そのような推論がなされる方式を限定することは意図されていないことが認識されるだろう。
【００６０】
図１０は、情報を通信するためにガード帯域幅を使用することを容易にするモバイル・デバイス１０００の実例である。モバイル・デバイス１０００は、例えば受信アンテナ（図示せず）から信号を受信し、受信した信号について一般的な動作（例えば、フィルタ、増幅、ダウンコンバート等）を実行し、この調整された信号をデジタル化してサンプルを得る受信機１００２を備える。受信機１００２は、例えばＭＭＳＥ受信機であり、受信したシンボルを復調し、それらをチャネル推定のためにプロセッサ１００６へ送る復調器１００４を備えうる。プロセッサ１００６は、受信機１００２によって受信された情報の分析、および／または、送信機１０１６による送信のための情報の生成に特化されたプロセッサであるか、モバイル・デバイス１０００の１または複数の構成要素を制御するプロセッサであるか、および／または、受信機１００２によって受信された情報の分析と、送信機１０１６による送信のための情報の生成と、モバイル・デバイス１０００の１または複数の構成要素の制御との両方を行うプロセッサでありうる。
【００６１】
モバイル・デバイス１０００はさらに、プロセッサ１００６と動作可能に接続されたメモリ１００８を備えうる。このメモリ１００８は、送信されるべきデータと、受信したデータと、利用可能なチャネルに関連する情報と、分析された信号および／または干渉強度に関連付けられたデータと、割り当てられたチャネル、電力、レート等に関連する情報と、チャネルの推定およびチャネルを介した通信のために適したその他任意の情報とを格納しうる。メモリ１００８はさらに、（例えば、パフォーマンス・ベース、キャパシティ・ベース等での）チャネルの推定および／または利用に関連付けられたアルゴリズムおよび／またはプロトコルを格納しうる。
【００６２】
本明細書に記載されたデータ・ストア（例えば、メモリ１００８）は、揮発性メモリであるか、あるいは不揮発性メモリである。あるいは、揮発性メモリと不揮発性メモリとの両方を含みうることが認識されるだろう。限定ではなく例示によって、不揮発性メモリは、読取専用メモリ（ＲＯＭ）、プログラマブルＲＯＭ（ＰＲＯＭ）、電子的プログラマブルＲＯＭ（ＥＰＲＯＭ）、電子的消去可能ＰＲＯＭ（ＥＥＰＲＯＭ）、あるいはフラッシュ・メモリを含みうる。揮発性メモリは、外部キャッシュ・メモリとして動作するランダム・アクセス・メモリ（ＲＡＭ）を含みうる。限定ではなく例示によって、ＲＡＭは、例えばシンクロナスＲＡＭ（ＳＲＡＭ）、ダイナミックＲＡＭ（ＤＲＡＭ）、シンクロナスＤＲＡＭ（ＳＤＲＡＭ）、ダブル・データ・レートＳＤＲＡＭ（ＤＤＲ  ＳＤＲＡＭ）、エンハンストＳＤＲＡＭ（ＥＳＤＲＡＭ）、シンクリンクＤＲＡＭ（ＳＬＤＲＡＭ）、およびダイレクト・ラムバスＲＡＭ（ＤＲＲＡＭ）のような多くの形態で利用可能である。主題となるシステムおよび方法のメモリ１００８は、限定される訳ではないが、これらおよびその他任意の適切なタイプのメモリを備えることが意図される。
【００６３】
プロセッサ１００２はさらに、オブテイナ１０１０および／またはロケータ１０１２に動作可能に接続される。オブテイナ１０１０および／またはロケータ１０１２は、本明細書に開示された他の類似のおよび／または同一名称のエンティティに関連する機能を含みうる。オブテイナ１０１０は、帯域幅範囲に保持された情報を収集しうる。さらに、ロケータ１０１２は、収集された情報が、帯域幅範囲のガード帯域幅に存在するかを判定しうる。モバイル・デバイス１０００はさらに、変調器１０１４と、例えば基地局、別のモバイル・デバイス等へ（例えば、ベースＣＱＩおよび差分ＣＱＩのような）信号を送信する送信機１０１６とを備える。プロセッサ１００６と別に示されているが、オブテイナ１０１０および／またはロケータ１０１２は、プロセッサ１００６または（図示しない）多くのプロセッサの一部でありうることが認識されるべきである。
【００６４】
図１１は、ガード帯域幅による情報の通信を容易にするシステム１１００の実例である。システム１１００は、複数の受信アンテナ１１０６を介して１または複数のモバイル・デバイス１１０４から信号を受信する受信機１１１０と、複数の送信アンテナ１１０８を介して１または複数のモバイル・デバイス１１０４へ情報を送信する送信機１１２２と、を有する基地局１１０２（例えば、アクセス・ポイント）を備える。受信機１１１０は、受信アンテナ１１０６から情報を受信する。さらに、受信した情報を復調する復調器１１１２と動作可能に関連付けられている。復調されたシンボルは、図７に関して上述されたプロセッサに類似し、メモリ１１１６に接続されたプロセッサ１１１４によって分析される。このメモリ１１１６は、信号（例えば、パイロット）強度および／または干渉強度を推定することに関連する情報、モバイル・デバイス１１０４（または（図示しない）別の基地局）へと送信されるべき、あるいは、モバイル・デバイス１１０４（または（図示しない）別の基地局）から受信されたデータ、および／または、本明細書に記載されたさまざまな動作および機能を実行することに関連するその他任意の適切な情報を格納する。
【００６５】
プロセッサ１１１４はさらに、クラシファイヤ１１１６および／またはディジネータ１１２０に接続される。クラシファイヤ１１１８は、一般に、分析の結果に基づいて、通信チャネルを配置すべき帯域幅におけるガード帯域幅を識別しうる。ディジネータ１１２０は、ガード帯域幅に通信チャネルを配置しうる。さらに、プロセッサ１１１４は、ＦＬＡＢメッセージまたはＡＲＢメッセージを伝送するために、順方向リンク・チャネルで送信することを容易にしうる。送信されるべき情報は、変調器１１２２に提供されうる。変調器１１２２は、送信機１１２６による、アンテナ１１０８を介したモバイル・デバイス１１０４への送信のための情報を多重化しうる。プロセッサ１１１４と別に示されているが、クラシファイヤ１１１８および／またはディジネータ１１２０は、プロセッサ１１１４または多くのプロセッサ（図示せず）のうちの一部でありうることが認識されるべきである。
【００６６】
図１２は、無線通信システム１２００の例を示す。無線通信システム１２００は、簡潔さの目的で、１つの基地局１２１０と１つのモバイル・デバイス１２５０とを示している。しかしながら、システム１２００は、１より多くの基地局、および／または、１より多くのモバイル・デバイスを含みうることが認識されるべきである。ここでは、追加の基地局および／またはモバイル・デバイスは、以下に説明する基地局１２１０およびモバイル・デバイス１２５０の例と実質的に類似しているか、あるいは、異なりうる。さらに、基地局１２１０および／またはモバイル・デバイス１２５０は、その間の無線通信を容易にするために、本明細書に記載されたシステム（図１、図３−７、および図１０−１１）および／または方法（図８−９）を適用しうることが認識されるべきである。
【００６７】
基地局１２１０では、多くのデータ・ストリームのためのトラフィック・データが、データ・ソース１２１２から送信（ＴＸ）データ・プロセッサ１２１４へ提供される。例によれば、おのおののデータ・ストリームは、それぞれのアンテナを介して送信されうる。ＴＸデータ・プロセッサ１２１４は、トラフィック・データ・ストリームをフォーマットし、このデータ・ストリームのために選択された特定の符合化スキームに基づいて符号化し、インタリーブして、符合化されたデータを提供する。
【００６８】
おのおののデータ・ストリームの符号化されたデータは、直交周波数分割多重化（ＯＦＤＭ）技術を使用して、パイロット・データとともに多重化されうる。さらに、あるいは、その代わりに、パイロット・シンボルは、周波数分割多重化（ＦＤＭ）、時分割多重化（ＴＤＭ）、あるいは符号分割多重化（ＣＤＭ）されうる。パイロット・データは、一般には、周知の方法で処理される周知のデータ・パターンであり、チャネル応答を推定するためにモバイル・デバイス１２５０において使用されうる。おのおののデータ・ストリームの多重化された、パイロットおよび符号化データは、そのデータ・ストリームのために選択された特定の変調スキーム（例えば、バイナリ・フェーズ・シフト・キーイング（ＢＰＳＫ）、直角位相子シフト・キーイング（ＱＰＳＫ）、Ｍフェーズ・シフト・キーイング（Ｍ−ＰＳＫ）、Ｍ直角振幅変調（Ｍ−ＱＡＭ）等）に基づいて変調（例えば、シンボル・マップ）されうる。おのおののデータ・ストリームのデータ・レート、符号化および変調は、プロセッサ１２３０によって実行または提供される命令群によって決定されうる。
【００６９】
データ・ストリームの変調シンボルは、（例えばＯＦＤＭのために）この変調シンボルをさらに処理するＴＸ  ＭＩＭＯプロセッサ１２２０へ提供されうる。その後、ＴＸ  ＭＩＭＯプロセッサ１２２０は、ＮＴ個の変調シンボル・ストリームをＮＴ個の送信機（ＴＭＴＲ）１２２２ｔ乃至１２２２ａに提供する。さまざまな実施形態において、ＴＸ  ＭＩＭＯプロセッサ１２２０は、データ・ストリームのシンボル、および、そのシンボルが送信されるアンテナへ、ビームフォーミング重みを適用する。
【００７０】
おのおのの送信機１２２２は、１または複数のアナログ信号を提供するために、それぞれのシンボル・ストリームを受信して処理し、さらには、ＭＩＭＯチャネルを介した送信に適切な変調信号を提供するために、このアナログ信号を調整（例えば、増幅、フィルタ、およびアップコンバート）する。さらに、送信機１２２２ａ乃至１２２２ｔからのＮＴ個の変調信号は、ＮＴ個のアンテナ１２２４ａ乃至１２２４ｔそれぞれから送信される。
【００７１】
モバイル・デバイス１２５０では、送信された変調信号がＮＲ個のアンテナ１２５２ａ乃至１２５２ｒによって受信され、受信された信号が、各アンテナ１２５２からそれぞれの受信機（ＲＣＶＲ）１２５４ａ乃至１２５４ｒへ提供される。おのおのの受信機１２５４は、それぞれの信号を調整（例えば、フィルタ、増幅、およびダウンコンバート）し、この調整された信号をデジタル化してサンプルを提供し、さらにこのサンプルを処理して、対応する「受信された」シンボル・ストリームを提供する。
【００７２】
ＲＸデータ・プロセッサ１２６０は、特定の受信機処理技術に基づいて、ＮＲ個の受信機１２５４からＮＲ個のシンボル・ストリームを受信し、これら受信したＮＲ個のシンボル・ストリームを処理して、ＮＴ＞個の「検出された」シンボル・ストリームを提供する。ＲＸデータ・プロセッサ１２６０は、検出された各シンボル・ストリームの復調、デインタリーブ、および復号を行い、このデータ・ストリームのためのトラフィック・データを復元する。ＲＸデータ・プロセッサ１２６０による処理は、基地局１２１０におけるＴＸ  ＭＩＭＯプロセッサ１２２０およびＴＸデータ・プロセッサ１２１４によって実行されるものと相補的である。
【００７３】
プロセッサ１２７０は、上述したように、どの事前符号化行列を利用すべきかを定期的に決定する。さらに、プロセッサ１２７０は、行列インデクス部およびランク値部を備える逆方向リンク・メッセージを定式化することができる。
【００７４】
逆方向リンク・メッセージは、通信リンクおよび／または受信されたデータ・ストリームに関するさまざまなタイプの情報を備えうる。逆方向リンク・メッセージは、ＴＸデータ・プロセッサ１２３８によって処理され、変調器１２８０によって変調され、送信機１２５４ａ乃至１２５４ｒによって調整され、基地局１２１０へ送り戻される。ＴＸデータ・プロセッサ１２３８はまた、多くのデータ・ストリームのトラフィック・データをデータ・ソース１２３６から受け取る。
【００７５】
基地局１２１０では、モバイル・デバイス１２５０からの変調信号が、アンテナ１２２４によって受信され、受信機１２２２によって調整され、復調器１２４０によって復調され、ＲＸデータ・プロセッサ１２４２によって処理されることにより、モバイル・デバイス１２５０によって送信された逆方向リンク・メッセージが抽出される。さらに、プロセッサ１２３０は、ビームフォーミング重みを決定するためにどの事前符号化行列を使用するかを決定するために、この抽出されたメッセージを処理する。
【００７６】
プロセッサ１２３０、１２７０は、基地局１２１０およびモバイル・デバイス１２５０それぞれにおける動作を指示（例えば、制御、調整、管理等）することができる。プロセッサ１２３０およびプロセッサ１２７０はそれぞれ、プログラム・コードおよびデータを格納するメモリ１２３２およびメモリ１２７２に関連付けられうる。プロセッサ１２３０およびプロセッサ１２７０はまた、アップリンクおよびダウンリンクそれぞれのための周波数およびインパルス応答推定値を導出する計算をも実行する。
【００７７】
本明細書に記載された実施形態は、ハードウェア、ソフトウェア、ファームウェア、ミドルウェア、マイクロコード、あるいはこれらの任意の組み合わせで実現されることが理解されるべきである。ハードウェアで実現する場合、処理ユニットは、１または複数の特定用途向けＩＣ（ＡＳＩＣ）、デジタル信号プロセッサ（ＤＳＰ）、デジタル信号処理デバイス（ＤＳＰＤ）、プログラム可能論理回路（ＰＬＤ）、フィールドプログラム可能ゲート・アレイ（ＦＰＧＡ）、プロセッサ、コントローラ、マイクロ・コントローラ、マイクロプロセッサ、本明細書に記載の機能を実行するために設計されたその他の電子ユニット、あるいはこれらの組み合わせ内に実装されうる。
【００７８】
これら実施形態が、ソフトウェア、ファームウェア、ミドルウェアあるいはマイクロコード、プログラム・コードまたはコード・セグメントで実現される場合、例えばストレージ構成要素のようなマシン読取可能媒体に格納される。コード・セグメントは、手順、機能、サブプログラム、プログラム、ルーチン、サブルーチン、モジュール、ソフトウェア・パッケージ、クラス、あるいは命令群、データ構造、あるいはプログラム文の任意の組み合わせを示すことができる。コード・セグメントは、情報、データ、引数、パラメータ、あるいはメモリ・コンテンツの引き渡しおよび／または受け取りを行うことによって、他のコード・セグメントあるいはハードウェア回路に接続されうる。情報、引数、パラメータ、データ等は、メモリ共有、メッセージ引き渡し、トークン引き渡し、ネットワーク送信等を含む任意の適切な手段を用いて引き渡し、転送、または送信される。
【００７９】
ソフトウェアで実現する場合、本明細書に記載された技術は、本明細書に記載された機能を実行するモジュール（例えば、手続、機能など）によって実現されうる。ソフトウェア・コードは、メモリ・ユニット内に格納され、プロセッサによって実行されうる。メモリ・ユニットは、プロセッサ内またはプロセッ外に実装される。プロセッサ外に実装される場合、メモリ・ユニットは、当該技術分野で周知のさまざまな手段によって、プロセッサに通信可能に接続されうる。
【００８０】
図１３に示すように、ガード帯域幅によって情報を通信することを有効にするシステム１３００が例示される。例えば、システム１３００は、モバイル・デバイス内に少なくとも部分的に存在しうる。システム１３００は、プロセッサ、ソフトウェア、またはこれらの組み合わせ（例えば、ファームウェア）によって実現される機能を表す機能ブロックでありうる機能ブロックを含むものとして表されていることが認識されるべきである。システム１３００は、連携して動作しうる手段からなる論理グループ１３０２を含む。例えば、論理グループ１３０２は、通信チャネルを配置すべき帯域幅領域におけるガード帯域幅を識別する手段１３０４を含むことができる。さらに、論理グループ１３０２は、ガード帯域幅に通信チャネルを配置する手段１３０６を含みうる。論理グループ１３０２はまた、送信機の送信電力に基づいて、情報を送信するためにガード帯域幅が使用されうるかを判定する手段と、ガード帯域幅のどこに通信チャネルを配置するかを判定する手段と、通信チャネルにおける送信のための情報を指定する手段と、通信チャネルにおける送信を指定するための情報を決定する手段と、指定された情報を通信チャネルによって送信する手段と、通信チャネルを配置するために、マルチキャリア構成における異なるキャリアの帯域幅範囲間のガード・サブキャリアを用いる手段と、必要以上に大きなガード帯域幅を通知し、新たなチャネルを追加するために追加のガード帯域幅を使用する手段と、第１のクラスのデバイスによってモニタされた第１のチャネルで、第１のガード・サブキャリアのセットを通知する手段と、第２のクラスのデバイスによってモニタされた第２のチャネルで、第２のガード・サブキャリアのセットを通知する手段と、情報を送信するためにいつガード帯域幅を使用するべきかを識別する手段と、および／または、帯域幅範囲を生成する手段とを含み、示すことができる。さらに、システム１３００は、手段１３０４、１３０６に関連付けられた機能を実行するための機能を保持するメモリ１３０８を含むことができる。メモリ１３０８の外側にあるとして示されているが、手段１３０４、１３０６のうちの１または複数は、メモリ１３０８内に存在することができることが理解されるべきである。
【００８１】
図１４に移って、並べ替えられたコードワードに対して連続的な干渉演算を適用することによって、低減されたフィードバックを計算するシステム１４００が例示される。システム１４００は、例えば、基地局内に存在することができる。図示するように、システム１４００は、プロセッサ、ソフトウェア、または（例えばファームウェアのような）これらの組み合わせによって実現される機能を表す機能ブロックを含む。システム１４００は、順方向リンク送信を制御することを容易にする手段からなる論理グループ１４０２を含む。論理グループ１４０２は、帯域幅範囲に保持された情報を収集する手段１４０４のみならず、収集された情報が、帯域幅範囲のガード帯域幅に存在するかを判定する手段１４０６をも含むことができる。さらに、論理グループ１４０２は、否定的な判定に対してはフィルタリングを制限し、肯定的な判定に対してはフィルタリングを拡大する手段１４０８のみならず、収集された情報を抽出する手段１４１０をも含みうる。論理グループ１４０２はまた、ガード・サブキャリアのうち少なくとも２つのセットを比較する手段と、ガード・サブキャリアのうち、この比較によって判定された最小のセットを用いる手段とを含み、帯域幅範囲に保持された情報を収集する手段が、ガード・サブキャリアのうち少なくとも２つのセットを収集する手段を含む。さらに、システム１４００は、手段１４０４、１４０６、１４０８、１４１０に関連付けられた機能を実行するための命令群を保持するメモリ１４１２を含むことができる。メモリ１４１２の外側にあるとして示されているが、手段１４０４、１４０６、１４０８、１４１０は、メモリ１４１２内に存在することができることが理解されるべきである。
【００８２】
上述したものは、１または複数の実施形態のうちの一例を含む。もちろん、上述した実施形態を説明する目的で、構成要素または方法の考えられるすべての組み合わせを記述することは可能ではないが、当業者であれば、さまざまな実施形態のさらに多くの組み合わせおよび置き換えが可能であることを認識することができる。したがって、記載された実施形態は、特許請求の範囲の精神およびスコープ内にあるそのようなすべての変更、変更、および変形を含むことが意図される。さらにまた、用語「含む」が、詳細説明あるいは特許請求の範囲のうちの何れかで使用されている限り、その用語は、用語「備える」が、請求項における遷移語として適用される場合に解釈される用語「備える」と同様に、包括的であることが意図される。
以下に本願発明の当初の特許請求の範囲に記載された発明を付記する。
［Ｃ１］
ガード帯域幅で情報を通信する方法であって、
帯域幅範囲において、通信チャネルを配置すべきガード帯域幅を識別することと、
前記ガード帯域幅に通信チャネルを配置することと
を備える方法。
［Ｃ２］
送信機の送信電力に基づいて、情報を送信するために前記ガード帯域幅が使用されうるかを判定することを更に備えるＣ１に記載の方法。
［Ｃ３］
前記通信チャネルを配置するために、マルチキャリア構成における異なるキャリアの帯域幅範囲間のガード・サブキャリアを用いることを更に備えるＣ１に記載の方法。
［Ｃ４］
前記通信チャネルにおける送信のための情報を指定することを更に備えるＣ１に記載の方法。
［Ｃ５］
前記通信チャネルにおける送信を指定するための情報を決定することを更に備えるＣ４に記載の方法。
［Ｃ６］
前記指定するための情報の決定は、通信レートに基づくＣ５に記載の方法。
［Ｃ７］
前記指定された情報を、前記通信チャネルによって送信することを更に備えるＣ４に記載の方法。
［Ｃ８］
必要以上に大きなガード帯域幅を通知し、新たなチャネルを追加するために追加のガード帯域幅を使用することを更に備えるＣ１に記載の方法。
［Ｃ９］
第１のクラスのデバイスによってモニタされた第１のチャネルで、第１のガード・サブキャリアのセットを通知することと、
第２のクラスのデバイスによってモニタされた第２のチャネルで、第２のガード・サブキャリアのセットを通知することと
を更に備えるＣ１に記載の方法。
［Ｃ１０］
前記通信チャネルは、時間再使用または周波数再使用を適用するＣ１に記載の方法。
［Ｃ１１］
装置であって、
帯域幅範囲において、通信チャネルを配置すべきガード帯域幅を識別するクラシファイヤと、
前記ガード帯域幅に通信チャネルを配置するディジネータと
を備える装置。
［Ｃ１２］
送信機の送信電力に基づいて、情報を送信するために前記ガード帯域幅が使用されうるかを判定するテスタを更に備えるＣ１１に記載の装置。
［Ｃ１３］
前記通信チャネルを配置するために、マルチキャリア構成における異なるキャリアの帯域幅範囲間のガード・サブキャリアを用いるアナライザを更に備えるＣ１１に記載の装置。
［Ｃ１４］
前記通信チャネルにおける送信のための情報を指定するセレクタを更に備えるＣ１１に記載の装置。
［Ｃ１５］
前記通信チャネルにおける送信を指定するための情報を決定するエバリュエータを更に備えるＣ１４に記載の装置。
［Ｃ１６］
前記指定するための情報の決定は、通信レートに基づくＣ１５に記載の装置。
［Ｃ１７］
前記指定された情報を、前記通信チャネルによって送信する送信機を更に備えるＣ１４に記載の装置。
［Ｃ１８］
必要以上に大きなガード帯域幅を通知し、新たなチャネルを追加するために追加のガード帯域幅を使用するジェネレータを更に備えるＣ１１に記載の装置。
［Ｃ１９］
前記ジェネレータは、第１のクラスのデバイスによってモニタされた第１のチャネルで、第１のガード・サブキャリアのセットを通知し、第２のクラスのデバイスによってモニタされた第２のチャネルで、第２のガード・サブキャリアのセットを通知するＣ１１に記載の装置。
［Ｃ２０］
前記通信チャネルは、時間再使用または周波数再使用を適用するＣ１１に記載の装置。
［Ｃ２１］
装置であって、
帯域幅範囲において、通信チャネルを配置すべきガード帯域幅を識別する手段と、
前記ガード帯域幅に通信チャネルを配置する手段と
を備える装置。
［Ｃ２２］
送信機の送信電力に基づいて、情報を送信するために前記ガード帯域幅が使用されうるかを判定する手段を更に備えるＣ２１に記載の装置。
［Ｃ２３］
新たな通信チャネルを配置するために、マルチキャリア構成における異なるキャリアの帯域幅範囲間のガード・サブキャリアを用いる手段を更に備えるＣ２１に記載の装置。
［Ｃ２４］
前記通信チャネルにおける送信のための情報を指定する手段を更に備えるＣ２１に記載の装置。
［Ｃ２５］
前記通信チャネルにおける送信を指定するための情報を決定する手段を更に備えるＣ２４に記載の装置。
［Ｃ２６］
前記指定するための情報の決定は、通信レートに基づくＣ２５に記載の装置。
［Ｃ２７］
前記指定された情報を、前記通信チャネルによって送信する手段を更に備えるＣ２４に記載の装置。
［Ｃ２８］
必要以上に大きなガード帯域幅を通知し、新たなチャネルを追加するために追加のガード帯域幅を使用する手段を更に備えるＣ２１に記載の装置。
［Ｃ２９］
第１のクラスのデバイスによってモニタされた第１のチャネルで、第１のガード・サブキャリアのセットを通知する手段と、
第２のクラスのデバイスによってモニタされた第２のチャネルで、第２のガード・サブキャリアのセットを通知する手段と
を更に備えるＣ２１に記載の装置。
［Ｃ３０］
前記通信チャネルは、時間再使用または周波数再使用を適用するＣ２１に記載の装置。
［Ｃ３１］
コンピュータ読取可能媒体を備えるコンピュータ・プログラム製品であって、
前記コンピュータ読取可能媒体は、
コンピュータに対して、帯域幅範囲において、通信チャネルを配置すべきガード帯域幅を識別させるための第１のコード・セットと、
前記コンピュータに対して、前記ガード帯域幅に通信チャネルを配置させるための第２のコード・セットと
を備えるコンピュータ・プログラム製品。
［Ｃ３２］
コンピュータに対して、送信機の送信電力に基づいて、情報を送信するために前記ガード帯域幅が使用されうるかを判定させるための第３のコード・セットを更に備えるＣ３１に記載のコンピュータ読取可能媒体。
［Ｃ３３］
コンピュータに対して、新たな通信チャネルを配置するために、マルチキャリア構成における異なるキャリアの帯域幅範囲間のガード・サブキャリアを用いさせるための第３のコード・セットを更に備えるＣ３１に記載のコンピュータ読取可能媒体。
［Ｃ３４］
コンピュータに対して、前記通信チャネルにおける送信のための情報を指定させるための第３のコード・セットを更に備えるＣ３１に記載のコンピュータ読取可能媒体。
［Ｃ３５］
コンピュータに対して、前記通信チャネルにおける送信を指定するための情報を決定させるための第４のコード・セットを更に備えるＣ３４に記載のコンピュータ読取可能媒体。
［Ｃ３６］
前記指定するための情報の決定は、通信レートに基づくＣ３５に記載のコンピュータ読取可能媒体。
［Ｃ３７］
コンピュータに対して、前記指定された情報を、前記通信チャネルによって送信させるための第４のコード・セットを更に備えるＣ３４に記載のコンピュータ読取可能媒体。
［Ｃ３８］
コンピュータに対して、必要以上に大きなガード帯域幅を通知させ、新たなチャネルを追加するために追加のガード帯域幅を使用させるための第３のコード・セットを更に備えるＣ３１に記載のコンピュータ読取可能媒体。
［Ｃ３９］
コンピュータに対して、第１のクラスのデバイスによってモニタされた第１のチャネルで、第１のガード・サブキャリアのセットを通知させるための第３のコード・セットと、
コンピュータに対して、第２のクラスのデバイスによってモニタされた第２のチャネルで、第２のガード・サブキャリアのセットを通知させるための第４のコード・セットとを更に備えるＣ３１に記載のコンピュータ読取可能媒体。
［Ｃ４０］
前記通信チャネルは、時間再使用または周波数再使用を適用するＣ３１に記載のコンピュータ読取可能媒体。
［Ｃ４１］
ガード帯域幅で情報を通信するように構成された少なくとも１つのプロセッサであって、
帯域幅範囲において、通信チャネルを配置すべきガード帯域幅を識別する第１のモジュールと、
前記ガード帯域幅に通信チャネルを配置する第２のモジュールと
を備える少なくとも１つのプロセッサ。
［Ｃ４２］
送信機の送信電力に基づいて、情報を送信するために前記ガード帯域幅が使用されうるかを判定する第３のモジュールを更に備えるＣ４１に記載のプロセッサ。
［Ｃ４３］
新たな通信チャネルを配置するために、マルチキャリア構成における異なるキャリアの帯域幅範囲間のガード・サブキャリアを用いる第３のモジュールを更に備えるＣ４１に記載のプロセッサ。
［Ｃ４４］
前記通信チャネルにおける送信のための情報を指定する第３のモジュールを更に備えるＣ４１に記載のプロセッサ。
［Ｃ４５］
前記通信チャネルにおける送信を指定するための情報を決定する第４のモジュールを更に備えるＣ４４に記載のプロセッサ。
［Ｃ４６］
前記指定するための情報の決定は、通信レートに基づくＣ４５に記載のプロセッサ。
［Ｃ４７］
前記指定された情報を、前記通信チャネルによって送信する第４のモジュールを更に備えるＣ４４に記載のプロセッサ。
［Ｃ４８］
必要以上に大きなガード帯域幅を通知し、新たなチャネルを追加するために追加のガード帯域幅を使用する第３のモジュールを更に備えるＣ４１に記載のプロセッサ。
［Ｃ４９］
第１のクラスのデバイスによってモニタされた第１のチャネルで、第１のガード・サブキャリアのセットを通知する第３のモジュールと、
第２のクラスのデバイスによってモニタされた第２のチャネルで、第２のガード・サブキャリアのセットを通知する第４のモジュールと
を更に備えるＣ４１に記載のプロセッサ。
［Ｃ５０］
前記通信チャネルは、時間再使用または周波数再使用を適用するＣ４１に記載のプロセッサ。
［Ｃ５１］
ガード帯域幅に保持された情報を処理する方法であって、
帯域幅範囲に保持された情報の収集を準備することと、
前記帯域幅範囲に保持された情報を収集することと
を備える方法。
［Ｃ５２］
収集された情報が、前記帯域幅範囲のガード帯域幅に存在するかを判定することと、
否定的な判定がなされるとフィルタリングを制限し、肯定的な判定がなされるとフィルタリングを拡大することと
をさらに備えるＣ５１に記載の方法。
［Ｃ５３］
前記収集された情報を抽出することをさらに備えるＣ５１に記載の方法。
［Ｃ５４］
ガード・サブキャリアのうちの少なくとも２つのセットを比較することと、
前記比較によって判定された最小のガード・サブキャリアのセットを用いることとを備え、
前記帯域幅範囲に保持された情報を収集することは、ガード・サブキャリアのうちの少なくとも２つのセットを収集することを含むＣ５１に記載の方法。
［Ｃ５５］
装置であって、
帯域幅範囲に保持された情報の収集を準備するレギュレータと、
前記帯域幅範囲に保持された情報を収集するオブテイナと
を備える装置。
［Ｃ５６］
収集された情報が、前記帯域幅範囲のガード帯域幅に存在するかを判定するロケータと、
否定的な判定がなされるとフィルタリングを制限し、肯定的な判定がなされるとフィルタリングを拡大するレギュレータと
をさらに備えるＣ５５に記載の装置。
［Ｃ５７］
前記収集された情報を抽出するリムーバをさらに備えるＣ５５に記載の装置。
［Ｃ５８］
前記リムーバは、ガード・サブキャリアのうちの少なくとも２つのセットを比較し、前記比較によって判定された最小のガード・サブキャリアのセットを用い、
前記オブテイナは、ガード・サブキャリアのうちの少なくとも２つのセットを収集するＣ５５に記載の装置。
［Ｃ５９］
帯域幅範囲に保持された情報の収集を準備する手段と、
前記帯域幅範囲に保持された情報を収集する手段と
を備える装置。
［Ｃ６０］
収集された情報が、前記帯域幅範囲のガード帯域幅に存在するかを判定する手段と、
否定的な判定がなされるとフィルタリングを制限し、肯定的な判定がなされるとフィルタリングを拡大する手段と
をさらに備えるＣ５９に記載の装置。
［Ｃ６１］
前記収集された情報を抽出する手段をさらに備えるＣ５９に記載の装置。
［Ｃ６２］
ガード・サブキャリアのうちの少なくとも２つのセットを比較する手段と、
前記比較によって判定された最小のガード・サブキャリアのセットを用いる手段とを備え、
前記帯域幅範囲に保持された情報を収集する手段は、ガード・サブキャリアのうちの少なくとも２つのセットを収集する手段を含むＣ５９に記載の装置。
［Ｃ６３］
コンピュータ読取可能媒体を備えるコンピュータ・プログラム製品であって、
前記コンピュータ読取可能媒体は、
コンピュータに対して、帯域幅範囲に保持された情報の収集を準備させるための第１のコード・セットと、
前記コンピュータに対して、前記帯域幅範囲に保持された情報を収集させるための第２のコード・セットと
を備えるコンピュータ・プログラム製品。
［Ｃ６４］
コンピュータに対して、前記収集された情報が、前記帯域幅範囲のガード帯域幅に存在するかを判定させるための第３のコード・セットと、
コンピュータに対して、否定的な判定がなされるとフィルタリングを制限させ、肯定的な判定がなされるとフィルタリングを拡大させるための第４のコード・セットと
をさらに備えるＣ６３に記載のコンピュータ読取可能媒体。
［Ｃ６５］
コンピュータに対して、前記収集された情報を抽出させるための第３のコード・セットをさらに備えるＣ６３に記載のコンピュータ読取可能媒体。
［Ｃ６６］
コンピュータに対して、ガード・サブキャリアのうちの少なくとも２つのセットを比較させるための第３のコード・セットと、
コンピュータに対して、前記比較によって判定された最小のガード・サブキャリアのセットを用いさせるための第４のコード・セットと
のための命令群をさらに備え、
前記帯域幅範囲に保持された情報を収集させることは、ガード・サブキャリアのうちの少なくとも２つのセットを収集させることを含むＣ６３に記載のコンピュータ読取可能媒体。
［Ｃ６７］
ガード帯域幅に保持された情報を通信するように構成された少なくとも１つのプロセッサであって、
帯域幅範囲に保持された情報の収集を準備する第１のモジュールと、
前記帯域幅範囲に保持された情報を収集する第２のモジュールと
を備える少なくとも１つのプロセッサ。
［Ｃ６８］
収集された情報が、前記帯域幅範囲のガード帯域幅に存在するかを判定する第３のモジュールと、
否定的な判定がなされるとフィルタリングを制限し、肯定的な判定がなされるとフィルタリングを拡大する第４のモジュールと
をさらに備えるＣ６７に記載のプロセッサ。
［Ｃ６９］
前記収集された情報を抽出する第３のモジュールをさらに備えるＣ６７に記載のプロセッサ。
［Ｃ７０］
ガード・サブキャリアのうちの少なくとも２つのセットを比較する第３のモジュールと、
前記比較によって判定された最小のガード・サブキャリアのセットを用いる第４のモジュールとを備え、
前記帯域幅範囲に保持された情報を収集することは、ガード・サブキャリアのうちの少なくとも２つのセットを収集することを含むＣ６７に記載のプロセッサ。
【図１】
0005851978.tif 000002
【図２】
0005851978.tif 000003
【図３】
0005851978.tif 000004
【図４】
0005851978.tif 000005
【図５】
0005851978.tif 000006
【図６】
0005851978.tif 000007
【図７】
0005851978.tif 000008
【図８】
0005851978.tif 000009
【図９】
0005851978.tif 000010
【図１０】
0005851978.tif 000011
【図１１】
0005851978.tif 000012
【図１２】
0005851978.tif 000013
【図１３】
0005851978.tif 000014
【図１４】
0005851978.tif 000015